(57)【要約】【課題】厚手の材料または硬質の材料を記録媒体とし、さらに切断することのできる画像形成装置を提供する。【解決手段】記録媒体に画像形成を行う形成部と、前記記録媒体を切断可能な鋸刃部材の一端部を取外し可能に保持する第１保持部と、前記鋸刃部材の他端部を取外し可能に保持する第２保持部と、前記第２保持部を第１の方向に移動可能に支持する案内部と、前記第１の方向に対して直交する第２の方向に沿って、前記第１保持部を往復駆動する駆動部と、を備える画像形成装置。【選択図】図４
2020142350.tif 000002
【特許請求の範囲】
【請求項１】
記録媒体に画像形成を行う形成部と、
前記記録媒体を切断可能な鋸刃部材の一端部を取外し可能に保持する第１保持部と、
前記鋸刃部材の他端部を取外し可能に保持する第２保持部と、
前記第２保持部を第１の方向に移動可能に支持する案内部と、
前記第１の方向に対して直交する第２の方向に沿って、前記第１保持部を往復駆動する駆動部と、を備える画像形成装置。
【請求項２】
前記駆動部を前記第１の方向に移動可能に保持する移動部材をさらに備えることを特徴とする請求項１に記載の画像形成装置。
【請求項３】
前記第２保持部は、
前記案内部に対して移動可能に係合する係合部と、
前記鋸刃部材の他端部を取外し可能に保持する留め具と、
前記留め具を、前記係合部に対して前記第１保持部から離間する方向に付勢する付勢部材と、を備えることを特徴とする請求項１または２に記載の画像形成装置。
【請求項４】
前記案内部を前記第１の方向に延びる回転軸を中心に回転可能に支持する支持部をさらに備え、
前記案内部は前記第１の方向に延びる角柱状に形成され、前記第２保持部を支持する１つの側面部を有することを特徴とする、請求項１から３のいずれか１項に記載の画像形成装置。
【請求項５】
前記第１保持部は、他端部に小刀が形成されたカッターの一端部を保持可能であり、
前記案内部は、前記小刀を前記第１の方向に摺動させるパッド部材を支持する、前記１つの側面部とは異なる側面部をさらに有することを特徴とする、請求項４に記載の画像形成装置。
【請求項６】
前記鋸刃部材として、ワイヤーソー及び糸鋸の少なくとも１つを採用可能であることを特徴とする、請求項１から５のいずれか１項に記載の画像形成装置。
【発明の詳細な説明】
【技術分野】
【０００１】
本発明は画像形成装置に関する。
【背景技術】
【０００２】
従来技術として、印刷用紙に印刷する機能を備えた印刷ヘッドを有し、この印刷ヘッドにカッティングヘッドを取り付けることによって、印刷用紙の切断機能を備えた印刷機が知られている（特許文献１）。
【先行技術文献】
【特許文献】
【０００３】
【特許文献１】特開２０１７−１２９９号公報
【発明の概要】
【発明が解決しようとする課題】
【０００４】
上記の印刷機では、先端部に刃を備えたカッターをカッティングヘッドに取り付け、印刷用紙に対してカッターを摺動させることによって切断機能を実現している。しかし、このような機構では切断できる材料、用紙厚に限度があり、厚紙等の厚手の材料や硬質材料などの記録媒体を切断することは困難であった。
【０００５】
上記課題に鑑み、本発明の目的は、厚手の材料または硬質の材料を記録媒体とし、さらに切断することのできる画像形成装置を提供することにある。
【課題を解決するための手段】
【０００６】
上記課題を解決するため、本発明は、記録媒体に画像形成を行う形成部と、前記記録媒体を切断可能な鋸刃部材の一端部を取外し可能に保持する第１保持部と、前記鋸刃部材の他端部を取外し可能に保持する第２保持部と、前記第２保持部を第１の方向に移動可能に支持する案内部と、前記第１の方向に対して直交する第２の方向に沿って、前記第１保持部を往復駆動する駆動部と、を備える画像形成装置を提供する。
【発明の効果】
【０００７】
本発明は、厚手の材料または硬質の材料を記録媒体とし、さらに切断することのできる画像形成装置を提供できる。
【図面の簡単な説明】
【０００８】
【図１】実施形態に係る印刷装置を示す外観斜視図である。
【図２】実施形態に係る印刷装置のブロック図である。
【図３】実施形態に係るキャリッジの斜視図である。なお、理解を容易にするため、カバーを外した状態で図示する。
【図４】実施形態に係るキャリッジと下部保持部とを示す斜視図であり、鋸刃部材を取り付けた状態を示す。
【図５】実施形態に係るキャリッジを示す斜視図である。
【図６】実施形態に係る鋸刃部材を示す図であり、（ａ）糸鋸と（ｂ）ワイヤーソーとを示す。
【図７】実施形態に係る（ａ）鋸刃部材用のホルダの側面図と、（ｂ）カッター用のホルダの一部断面を描いた側面図とを示す。
【図８】実施形態に係る案内部と支持部とを示す斜視図である。
【図９】実施形態に係る下部保持部を示す斜視図である。
【図１０】実施形態に係る下部保持部の断面図である。
【図１１】（ａ）実施形態に係る下部保持部、及び（ｂ）変形例に係る下部保持部を示す。
【発明を実施するための形態】
【０００９】
＜実施形態＞
図１〜図１１を参照し、本発明の画像形成装置の一実施形態である、印刷装置１００について説明を行う。印刷装置１００はインクジェットプリンタであり、記録媒体９にインクを吐出して印刷を行う機能、及び記録媒体９を切断する機能を備えた装置である。図１及び図２に示すように、印刷装置１００は、筐体部１と、搬送機構部２と、制御部３と、キャリッジ４と、案内部５と、下部保持部６とを備えている。図１に示すように、印刷装置１００において、互いに直交する３方向を、上下方向、前後方向、及び、左右方向と定義する。なお、以下では、前後方向を搬送方向といい、左右方向を主走査方向という場合もある。着脱可能な装置、部材に関しては、装着された状態において各部材の方向を定義し、説明を行うものとする。なお、記録媒体９の材料の例として、紙、厚紙、皮革の他、マグネットシート、ゴム、プラスチック等が想定される。左右方向及び上下方向は、それぞれ、本発明における第１方向及び第２方向の一例である。
【００１０】
なお、実施形態及び変形例における「インクジェット方式」とは、インクや、光硬化性樹脂等の液体を微細な液滴として吐出することで、目的の位置に該液体を供給する液体供給手法を意味する。液滴化の手法は、サーマル方式あるいは圧電素子方式など、各種の方式が採用可能である。
【００１１】
また、印刷装置１００はカッター７（図７（ｂ）参照）または鋸刃部材８（図６参照）を取外し可能に装着でき、カッター７または鋸刃部材８を用いて、記録媒体９を切断する機能を備える。
【００１２】
図６には、鋸刃部材８の例として、糸鋸８１、及びワイヤーソー８２を示す。糸鋸８１は、延出軸に対してらせん状に刃が形成されている。そのため、糸鋸８１は、装着時において前後左右のどの方向であっても被加工材を切断することができる。ワイヤーソー８２は、スチールワイヤーにダイヤモンド等の硬質粒子を固着させて形成される。糸鋸８１と同様、ワイヤーソー８２も切断方向に指向性が無く、装着時、前後左右のどの方向にも被加工材を切断することができる。糸鋸８１及びワイヤーソー８２の端部には、環状に形成された丸環８１ａ、８２ａが形成される。
【００１３】
カッター７は、図７（ｂ）に示すように、軸状に形成され、端部には小刀７ａが形成される。小刀７ａは、記録媒体９に当接しつつ移動することによって、記録媒体９を切断することができる。
【００１４】
筐体部１は、本体部１０と、ガイドレール１１と、モータ１２と、案内部５を支持する支持部１５（図８参照）とを備える。本体部１０の前面及び後面には開口が形成され、それら開口がそれぞれカバーによって開閉される。図１では、本体部１０の前面の開口を開閉するカバーが外された状態が図示されている。ガイドレール１１は軸状部材であり、左右方向に延びるように本体部１０に取り付けられている。モータ１２は、案内部５を回転する機能を備える。また、モータ１２は、制御部３と電気的に接続し、制御される。支持部１５は、本体部１０内部の左右両端部に１つずつ固定されており、それぞれが案内部５の端部を回転可能に支持する（図８）。
【００１５】
搬送機構部２は、記録媒体９を前後方向に搬送するためのものであり、駆動ローラである搬送ローラ（図示せず）と、従動ローラであるピンチローラ２２とを備えている（図１、図３）。搬送ローラは、不図示のモータより動力の供給を受け、回転可能である。搬送ローラとピンチローラ２２との間に記録媒体９を挟んだ状態で搬送ローラが回転することによって、記録媒体９は前後方向に搬送される。
【００１６】
制御部３は、印刷装置１００の制御を司るためのものである。制御部３は、図２に示すように、搬送機構部２及びキャリッジ４に通信可能に接続されており、これらの各部動作を制御する機能を備える。制御部３の構成は特に限定されないが、本実施形態においては、外部機器からの印刷データ（ラスタデータ）等を受信するインターフェイス（Ｉ／Ｆ）と、プログラムを記憶するＲＯＭと、プログラムを実行するＣＰＵと、ＣＰＵによる処理において作業領域を提供するＲＡＭと、不揮発性メモリであって各種データを記憶するＮＶＲＡＭとを主に備える。制御部３は、受信した印刷データに基づいて、印刷装置１００の搬送機構部２及びキャリッジ４を制御する。
【００１７】
キャリッジ４は、インクジェットプリンタ方式の印刷を行うプリンティングキャリッジ４Ａと、記録媒体９の切断を行うカッティングキャリッジ４Ｂとを備える。キャリッジ４は、ガイドレール１１に対して主走査方向に移動可能に係合する。なお本実施形態において、プリンティングキャリッジ４Ａとカッティングキャリッジ４Ｂとは、互いに分離可能であり、各々がガイドレール１１に対して独立して主走査方向に移動することができる。なお、プリンティングキャリッジ４Ａとカッティングキャリッジ４Ｂとが左右に並び、互いに連結された構成としても良い。プリンティングキャリッジ４Ａは、本発明の形成部の一例である。ガイドレール１１は、本発明における移動部材の一例である。
【００１８】
プリンティングキャリッジ４Ａは、インクジェットプリンタ方式の印刷を行うための各種構成を備える。プリンティングキャリッジ４Ａは、ガイドレール１１に対して主走査方向に移動可能に係合し、記録媒体９にインクを吐出することによって印刷を実行する機能を備える。
【００１９】
カッティングキャリッジ４Ｂ（図５参照）は、記録媒体９の切断を行うための各種構成を備える。カッティングキャリッジ４Ｂは、本体部４０と、ホルダ４１と、ソレノイド４２と、アーム４３と、クランプ４４と、バネ４５と、これらの全体を覆うカバー４６とを備えている。
【００２０】
カバー４６を取り外した状態のカッティングキャリッジ４Ｂを、図３から図５に示す。本体部４０は、カッティングキャリッジ４Ｂの外殻を構成する金属製の筐体であり、ソレノイド４２、アーム４３、クランプ４４、及びバネ４５の各部材を支持する。また、本体部４０の後面は、ガイドレール１１と左右方向に移動可能に係合する。なお、図４は、鋸刃部材８として糸鋸８１を装着した状態を示すが、ワイヤーソー８２も同様に装着することができる。
【００２１】
図７に示すように、ホルダ４１には、ホルダ４１Ａとホルダ４１Ｂとの２種類が用意される。ホルダ４１Ａは、略円筒形状の部材であり、クランプ４４に対して、上下方向に軸が延びるように取り外し可能に装着される。ホルダ４１Ａは、その下端部にチャック４１３を備えており、鋸刃部材８の上端部を着脱可能に把持することができる（図７（ａ））。なおホルダ４１Ａは、ピン等を用いて鋸刃部材８の上端部を係止、または固定する構成とすることもできる。
【００２２】
ホルダ４１Ｂは、図７（ｂ）に示すように中空の略円筒形状の部材であり、ホルダ４１Ａと同様の外形を有する。ホルダ４１Ｂは、クランプ４４に対して、上下方向に軸が延びるように取り外し可能に装着される。ホルダ４１Ｂは、中空部にベアリング４１１、４１２を回転可能に備えている。また、ホルダ４１Ｂは、磁石４１４を備えている。ベアリング４１１は、ホルダ４１Ｂの下部に複数個、ホルダ４１Ｂの円周方向に等間隔に配置される。ベアリング４１２は、ホルダ４１Ｂの略中央部に配置される。磁石４１４は、ホルダ４１Ｂの中空部の上下方向略中央部に設けられる。
【００２３】
カッター７をホルダ４１Ｂの内部中空部に挿通することにより装着すると、ベアリング４１１、４１２は、それぞれカッター７の下部及び上部の外周面に当接し、回転可能に支持する。また、磁石４１４は、自己の磁力によって、カッター７の上端部を脱落しないように保持する。これにより、ホルダ４１Ｂは、カッター７を着脱可能に、かつ、回転可能に装着することができる。
【００２４】
ソレノイド４２は、コイルが巻かれたボビン４２１と、ボビン４２１内に挿通されたプランジャ４２２とを有している。ソレノイド４２は制御部３と電気的に接続しており、制御部３によって制御される。ボビン４２１は、上下方向に延びる中空の円筒形状に形成される。ボビン４２１は、中空の円筒形状に形成され、円周方向に配置された複数のコイルを備える。また、ボビン４２１の中空部には、上下方向に移動可能にプランジャ４２２が挿通される。プランジャ４２２は、上下方向に延出する円柱形状に形成される。ボビン４２１のコイルは、プランジャ４２２の外周部を囲むように配置される。ボビン４２１のコイルに通電がなされることによって、プランジャ４２２は、ボビン４２１に対して上死点と下死点との間を上下方向に駆動される。ソレノイド４２は、本発明における駆動部の一例である。
【００２５】
アーム４３は、Ｌ字型に形成された部材であり、本体部４０によって上下方向に移動可能に支持される。アーム４３は、ソレノイド４２の上方に延出する上部４３１と、上部４３１の左端部に固定され、下方に延出する左部４３２とを有する。上部４３１は、プランジャ４２２の上端部に固定されている。そのため、上部４３１及び左部４３２は、プランジャ４２２と一体的に移動可能である。アーム４３は、本発明における第１保持部の一例である。
【００２６】
クランプ４４は、左部４３２の下端部に固定される。クランプ４４は、ホルダ４１の周囲を支持、固定する支持部４４１と、支持部４４１及びホルダ４１を固定する留め具４４２とを備える。支持部４４１は、左部４３２に対して略左右方向に回動可能に支持されており、ホルダ４１を左部４３２との間に挟持することができる。
【００２７】
留め具４４２は、雌ネジ４４２ａと雄ネジ４４２ｂとを有している。雄ネジ４４２ｂは、左部４３２に対して回動可能に設置される。雌ネジ４４２ａは雄ネジ４４２ｂと螺合し、左部４３２に対して近接または離間するように螺進することができる。ホルダ４１の装着時において、雌ネジ４４２ａは、左部４３２に近接する方向に螺進し、支持部４４１の前端部を左部４３２に向けて押圧する。このようにして、留め具４４２は、支持部４４１を介してホルダ４１を固定する機能を備える。
【００２８】
バネ４５は、その上端部が本体部４０に係合する。バネ４５の下端部は、左部４３２の下端部と係合しており、アーム４３を本体部４０に対して上方に付勢する。そのため、ボビン４２１が通電されていないとき、バネ４５は、アーム４３およびプランジャ４２２を上方に引き上げた状態で保持する。
【００２９】
案内部５は、図８に示すように、左右方向に延出する略四角柱形状の部材である。案内部５は、キャリッジ４の下方に配置される。案内部５の左右両端部は支持部１５によって回転可能に支持される。また、案内部５は、モータ１２によって、左右方向に延びる回転軸を中心に回転駆動される。案内部５は、互いに構成の異なる第１面５ａと、第２面５ｂとを有している。第１面５ａには、１対のレール部５１ａ、５１ｂが設けられている。第２面５ｂの略中央部には、略平板状に形成されたゴム製のパッド部材５３が貼付されている。
【００３０】
１対のレール部５１ａ、５１ｂは、それぞれ左右方向に延出した平板状の部材であり、互いに平行となるように第１面５ａに設置される。レール部５１ａ、５１ｂは、係合部６１（後述）と係合し、延出方向、すなわち左右方向に沿って案内することができる。
【００３１】
なお、案内部５において、さらに別の２側面部を、異なる切断作業、使用工具に対応した構成とすることができる。具体的には、パッド部材５２、５３とは異なるパッドや溝を設けることにより、切り抜き作業やミシン目カットなどの作業内容に対応させたり、記録媒体９に特定の素材が用いられた場合に対応させたりすることができる。
【００３２】
下部保持部６は、図８から図１１に示すように、１対のレール部５１ａ、５１ｂと係合するように設けられる。下部保持部６は、１対のレール部５１ａ、５１ｂと係合する４つの係合部６１と、係合部６１と連結する保持部６２とを有する。下部保持部６は、本発明における第２保持部の一例である。
【００３３】
係合部６１は、保持部６２の下部外周部から突出するように４つ設けられる。係合部６１は、１対のレール部５１ａ、５１ｂに対し、左右方向にスライド可能に係合する。図９に示すように、レール部５１ａ、５１ｂには、それぞれ２つの係合部６１が係合する。係合部６１の外端部は、それぞれ上下方向に分岐しており、レール部５１ａまたはレール部５１ｂを上下に狭持する。これにより係合部６１は、左右方向に移動可能に、かつ、前後上下には移動不能に、レール部５１ａ、５１ｂと係合する。
【００３４】
なお、レール部５１ａ、５１ｂと係合部６１との係合方法は、このような方式に限られない。例えば、図１１（ｂ）の係合部１６１として示すように、係合部１６１が上下に一輪ずつ車輪６１１を備え、車輪６１１を左右方向に転動させることによって、レール部５１ａ、５１ｂに対して係合する構成としても良い。
【００３５】
保持部６２は、本体部６２１と、鋸刃部材８の下端部を取外し可能に固定する留め具６２２と、コイルバネ６２３と、軸状のピン６２４とを有する。コイルバネ６２３は、本発明における付勢部材の一例である。
【００３６】
本体部６２１は、中空の略円筒形状に形成され、第１面５ａに対して垂直に延出するように設けられる。本体部６２１の外周部には、円周方向において略等間隔となるように、４つの係合部６１が固定される。
【００３７】
留め具６２２は略円筒形状に形成されており、その下部は、本体部６２１の内部に保持される。留め具６２２は、第１面５ａから垂直離れるように本体部６２１から突出した、端部６２２ａを有する。端部６２２ａには、留め具６２２の中心軸に直交するように貫通孔６２２ｂが設けられ、ピン６２４を挿通可能である。ピン６２４を、貫通孔６２２ｂと、丸環８１ａまたは丸環８２ｂとに挿通することにより、端部６２２ａは、鋸刃部材８を取外し可能に係止、固定できる。なお、端部６２２ａは、ピン６２４による保持方式を用いず、チャック等を備えることによって鋸刃部材８の下端部を着脱可能に把持し、固定する構成としてもよい。
【００３８】
コイルバネ６２３は、本体部６２１の内部に設けられ、留め具６２２を囲むように配置される。コイルバネ６２３の一端部は本体部６２１に固定される。コイルバネ６２３の他端部は留め具６２２の端部に接続し、留め具６２２を本体部から離間する方向に付勢する。
【００３９】
〔作業〕
鋸刃部材８の装着作業、印刷装置１００による画像形成作業、及び切断作業について以下に説明する。なお、鋸刃部材８として糸鋸８１を用いることとする。ユーザは、まず印刷装置１００を操作し、第１面５ａが上方を向くように指示する。ユーザからの指示を受け、制御部３は、モータ１２を駆動して案内部５を回転させ、第１面５ａが上方に向いた状態とする。
【００４０】
ユーザは、下部保持部６をレール部５１ａ、５１ｂに沿って移動させ、カッティングキャリッジ４Ｂの下部近傍に配置する。ユーザは、糸鋸８１の上端部をホルダ４１Ａに把持させる。次にユーザは、糸鋸８１の丸環８１ａにピン６２４を挿通し、留め具６２２に固定する。ユーザは、ホルダ４１Ａをコイルバネ６２３の付勢力に抗して上方に引き上げ、さらに、クランプ４４を用いてホルダ４１Ａを左部４３２に固定する。これにより、糸鋸８１の設置作業が完了する。このとき糸鋸８１の下端部は、コイルバネ６２３によって、留め具６２２とともに下方に付勢されている。そのため、糸鋸８１には常に張力がかかった状態となっている。
【００４１】
次にユーザは、印刷装置１００を操作して画像形成作業を開始する。制御部３は、搬送機構部２を用いて記録媒体９を前後方向に移動させ、さらにプリンティングキャリッジ４Ａを左右方向に走査させて、記録媒体９の上面に印刷を行う。
【００４２】
その際、カッティングキャリッジ４Ｂ、糸鋸８１及び下部保持部６は、レール部５１ａ、５１ｂの左右いずれかの端部において待機し、記録媒体９との干渉を回避する。
【００４３】
印刷作業の終了後、印刷装置１００は切断作業を開始する。制御部３は、ソレノイド４２を制御し、プランジャ４２２の継続的な往復駆動を行う。プランジャ４２２及びアーム４３の駆動は、クランプ４４、及びホルダ４１Ａを介して糸鋸８１に伝達される。このようにして糸鋸８１は、コイルバネ６２３の付勢力に抗して上下方向に往復駆動される。糸鋸８１の往復駆動により、記録媒体９が切断される。
【００４４】
切断作業中、制御部３は、搬送機構部２を用いて記録媒体９を前後方向に移動させ、さらにカッティングキャリッジ４Ｂを左右方向に走査させて、記録媒体９を所定の形状に切断する。その際、下部保持部６は、糸鋸８１を介してカッティングキャリッジ４Ｂと接続しているため、カッティングキャリッジ４Ｂに追従して左右方向に移動する。
【００４５】
〔カッターを用いた切断作業〕
なお、切断作業は、カッター７を用いて実施することも可能である。カッター７を用いる際、ユーザは、ホルダ４１Ｂにカッター７を装着し、さらに、クランプ４４を用いてホルダ４１Ｂを左部４３２に固定する。
【００４６】
制御部３は、モータ１２を駆動して案内部５を回転させ、第２面５ｂが上方に向いた状態とする。
【００４７】
切断作業において、制御部３は、搬送機構部２を用いて記録媒体９を前後方向に移動させ、さらにカッティングキャリッジ４Ｂを左右方向に走査させる。制御部３は、ソレノイド４２を駆動してプランジャ４２２を下方に移動させる。プランジャ４２２の移動に伴ってカッター７は下方に移動し、下端部の小刀７ａが記録媒体９と当接する。カッティングキャリッジ４Ｂ及び搬送機構部２によってカッター７は、記録媒体９に対して相対移動し、記録媒体９の切断を行う。その際、小刀７ａの先端部は、パッド部材５３の上面を左右方向に摺動する。これによって、小刀７ａの摩耗が軽減されるとともに、カッター７による円滑な切断作業が可能となる。
【００４８】
切断を終えると、制御部３は、ソレノイド４２を制御してプランジャ４２２を上方に移動させ、記録媒体９からカッター７を離間させる。
【００４９】
＜効果＞
上記実施形態の印刷装置１００は、記録媒体９に画像形成を行うプリンティングキャリッジ４Ａと、アーム４３と、下部保持部６と、案内部５と、ソレノイド４２とを備える。アーム４３は、鋸刃部材８の一端部を取外し可能に保持する。下部保持部６は、鋸刃部材８の他端部を取外し可能に保持する。案内部５は、下部保持部６を左右方向に移動可能に支持する。また、ソレノイド４２は、上下方向に沿ってアーム４３を往復駆動する。
【００５０】
上記印刷装置１００は、プリンティングキャリッジ４Ａによって記録媒体９に画像形成を行うことができる。さらに、印刷装置１００は鋸刃部材８を備えているため、ゴム、フィルム、プラスチック樹脂などの、紙よりも硬質な材料や、厚紙などの厚手の材料を記録媒体９として用いた場合であっても、切断作業を実施することができる。
【００５１】
また、印刷装置１００は、ソレノイド４２を左右方向に移動可能に保持するガイドレール１１を備える。
【００５２】
上記構成では、ソレノイド４２と、これに支持されるアーム４３及び鋸刃部材８とを左右方向に円滑に移動することが可能である。そのため、記録媒体９の切断作業が容易となる。
【００５３】
下部保持部６は、案内部５と移動可能に係合する係合部６１と、鋸刃部材８の他端部を取外し可能に固定する留め具６２２と、留め具６２２を係合部６１に対して下方に付勢するコイルバネ６２３とを備える。
【００５４】
上記構成では、コイルバネ６２３が、留め具６２２を介して、鋸刃部材８の下端部を下方に付勢する。そのため、鋸刃部材８に張力がかかった状態を維持することができる。鋸刃部材８が略直線状に保たれた状態となるため、記録媒体９の切断作業は、正確、容易、または迅速に実行可能となる。
【００５５】
印刷装置１００は、案内部５を左右方向に延びる回転軸を中心に回転可能に支持する支持部１５をさらに備える。案内部５は左右方向に延びる角柱状に形成され、１つの側面部である第１面５ａが形成される。第１面５ａでは、下部保持部６が支持される。
【００５６】
アーム４３は、他端部に小刀７ａが形成されたカッター７の一端部を保持可能である。案内部５は、パッド部材５３が支持される第２面５ｂを有する。パッド部材５３は、小刀７ａを左右方向に摺動させることが可能である。
【００５７】
上記構成では、案内部５が下部保持部６及びパッド部材５３を支持する。そのため、印刷装置１００では、カッター７及び鋸刃部材８のどちらを用いても切断作業を実行可能である。また、カッター７及び鋸刃部材８の装着、付け替えを、簡単な操作で行うことができる。
【００５８】
鋸刃部材８として、ワイヤーソー８２及び糸鋸８１の少なくとも１つを採用可能である。
【００５９】
上記構成では、記録媒体９の材質や形状に応じて最適な工具を選択できる。
【００６０】
＜変形例＞
上記実施形態において、鋸刃部材８及びカッター７は、ホルダ４１Ａ、４１Ｂを介してアーム４３に装着される構成としていたが、本発明はこれに限定されない。例えば、鋸刃部材８及びカッター７をそれぞれ、アーム４３に対して直接取り付ける構成としても良い。
【００６１】
上記実施形態において、駆動部としてソレノイド４２を用いた。しかし、本発明は、このような構成に限定されない。例えば、モータを用いてアーム４３を駆動する構成としても良い。
【００６２】
上記実施形態において、画像形成装置としてインクジェット方式の印刷装置１００を用いて説明を行った。本発明はこれに限定されず、画像形成装置として、ＵＶインクジェットプリンタ、または溶剤インクジェットプリンタを採用することも可能である。
【００６３】
上記実施形態は、発明の例として提示したものであり、発明の範囲を限定するものではない。上記の構成は、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６４】
１００  印刷装置
１  筐体部
２  搬送機構部
３  制御部
４Ａ  プリンティングキャリッジ
４Ｂ  カッティングキャリッジ
５  案内部
６  下部保持部
７  カッター
８  鋸刃部材
９  記録媒体
【図１】
2020142350.tif 000003
【図２】
2020142350.tif 000004
【図３】
2020142350.tif 000005
【図４】
2020142350.tif 000006
【図５】
2020142350.tif 000007
【図６】
2020142350.tif 000008
【図７】
2020142350.tif 000009
【図８】
2020142350.tif 000010
【図９】
2020142350.tif 000011
【図１０】
2020142350.tif 000012
【図１１】
2020142350.tif 000013